(57)【要約】【課題】本発明は、シールド効果を適切に行うことができるシールド構造体を提供することを目的とする。【解決手段】回路基板に装着され、電磁ノイズを遮蔽するシールド構造体であって、前記回路基板の主面に対し対向する天板部１０と、その外周部から前記回路基板の主面に対して垂下される側壁１１とを有し、前記側壁の回路基板との着接面に、回路基板に締結する複数の締結部１３Ａ〜１３Ｇと、前記着接面の一部を突出させた凸部１４Ａ〜１４Ｈが、回路基板に当接するように形成され、前記締結部又は前記凸部と、前記側壁に沿って隣接する締結部又は凸部いずれかとの間隔が、回路で使用する周波数帯域の電磁ノイズの波長よりも短く設定されていることを特徴とするシールド構造体。【選択図】図１
2013038243.tif 000002
【特許請求の範囲】
【請求項１】
回路基板に装着され、電磁ノイズを遮蔽するシールド構造体であって、
前記回路基板の主面に対し対向する天板部と、その外周部から前記回路基板の主面に対して垂下される側壁とを有し、
前記側壁の回路基板との着接面に、回路基板に締結する複数の締結部と、
前記着接面の一部を突出させた１以上の凸部とが、回路基板に当接するように形成されている
ことを特徴とするシールド構造体。
【請求項２】
前記締結部又は前記凸部と、前記側壁に沿って隣接する締結部又は凸部いずれかとの間隔が、回路で使用する周波数帯域の電磁ノイズの波長よりも短く設定されている
ことを特徴とする請求項１のシールド構造体。
【請求項３】
前記電磁ノイズの波長より短い長さは、電磁ノイズの波長の１／４以下とする
ことを特徴とする請求項２に記載のシールド構造体。
【請求項４】
前記凸部は、最も突出した位置から前記側壁の着接面の長手方向に沿って離れるに従って突出量が減少する形状に形成されている
ことを特徴とする請求項１に記載のシールド構造体。
【請求項５】
前記締結部において、回路基板と螺着により締結されている
ことを特徴とする請求項１に記載のシールド構造体。
【請求項６】
前記シールド構造体はマグネシウム合金を用いて構成されている
ことを特徴とする請求項１に記載のシールド構造体。
【請求項７】
前記シールド構造体は、
前記天板と前記側壁に覆われた内部に隔離する仕切壁を有し、
前記仕切壁には前記側壁と同様の締結部と凸部が形成されている
ことを特徴とする請求項１に記載のシールド構造体。
【請求項８】
前記凸部は、締結部と締結部の間に1箇所だけ形成される場合に、当該それぞれの締結部までの距離がほぼ等しい距離に形成されている
ことを特徴とする請求項１に記載のシールド構造体。
【請求項９】
無線通信を行う携帯端末であって、
前記回路で使用する周波数帯域は、前記無線通信で使用する通信周波数帯域である請求項１乃至請求項８のいずれか１項に記載のシールド構造体を備える
ことを特徴とする携帯端末。
【発明の詳細な説明】
【技術分野】
【０００１】
本発明は、電気回路の電磁ノイズを遮蔽するシールドに関する。
【背景技術】
【０００２】
電気機器の回路基板上には、多くの電子部品が実装され、その中には、高周波等を発生する電子部品も実装されている。これら電子部品からの高周波等が他の電子部品に与える悪影響を抑制すると共に、回路基板に実装された電子部品に対する外部からの高周波等の影響を防ぐために、シールド構造体で回路基板全体を覆ったり、該当する電子部品を囲むことによって、ノイズの侵入や漏洩を軽減させている。
【０００３】
しかしながら、シールド構造体によるシールドが十分であったとしても回路基板とシールド構造体との密着度が不十分であると、当該隙間を通じての電磁波漏れが生じ、シールド効果を損なうことがある。
図６に従来のシールド構造体の一例の斜視図を示す。
側壁１０１と仕切壁１０２の回路基板に着接する面１０４の一部には回路基板と締結するためのねじ孔１０３Ａ〜１０３Ｎが複数形成されている。
【０００４】
当該シールド構造体を回路基板に被せて締結する場合には、回路基板上に、当該シールド構造体のねじ孔１０３Ａ〜１０３Ｎに合う位置にそれぞれねじ孔を設け、ねじにより締付けして回路基板と当該シールド構造体を締結する。
このように、シールド構造体を回路基板に締結することによって、回路基板上の電子部品がシールド構造体によって囲繞される。
【０００５】
また、特許文献１には、回路基板全体をシールド構造体で覆う場合のシールドケース本体と蓋体の当接度の接触力を強める構造のシールド構造体が記載されている。
【先行技術文献】
【特許文献】
【０００６】
【特許文献１】実開平06-066092号公報
【発明の概要】
【発明が解決しようとする課題】
【０００７】
しかし、回路基板とシールド構造体を締結する場合に、着接面の平滑度の悪さや、回路基板やシールド構造体に生じるゆがみが原因で回路基板とシールド構造体の着接面において、断続的に点接触しているような状態になり、回路基板とシールド構造体の着接面に隙間が生じ、シールド効果が低下するという問題があった。
回路基板とシールド構造体の着接面の密着度を上げるためには、ねじ止めする部分を増やすことが考えられる。
【０００８】
しかしながら、ねじ孔周辺の強度確保のために側壁や仕切壁の壁厚を考慮せねばならず、回路基板やシールド構造体の大きさの点で不利になり、部品点数も増加し、取付作業も煩雑になる。
そこで、本発明は、係る問題に鑑みてなされたものであり、シールド効果を適切に行うことが可能なシールド構造体を提供することを目的とする。
【課題を解決するための手段】
【０００９】
上記課題を解決するために本発明に係るシールド構造体は、回路基板に装着され、電磁ノイズを遮蔽するシールド構造体であって、前記回路基板の主面に対し対向する天板部と、その外周部から前記回路基板の主面に対して垂下される側壁とを有し、前記側壁の回路基板との着接面に、回路基板に締結する複数の締結部と、前記着接面の一部を突出させた１以上の凸部とが、回路基板に当接するように形成されていることを特徴とする。
【発明の効果】
【００１０】
上述の構成により、本発明に係るシールド構造体は、シールド効果を適切に行うことができる。
【図面の簡単な説明】
【００１１】
【図１】本発明の実施の形態に係るシールド構造体の斜視図
【図２】（ａ）は本発明の実施の形態に係るシールド構造体と回路基板の締結の模式図  （ｂ）は本発明の実施の形態に係るシールド構造体の底面図  （ｃ）は回路基板の平面図
【図３】実施の形態のシールド構造体と回路基板との締結状態を示す説明図
【図４】凸部の形状の変形例の説明図
【図５】ねじ間に凸部を複数形成したときの説明図
【図６】従来のシールド構造体の一例の斜視図
【発明を実施するための形態】
【００１２】
＜１．実施の形態１＞
＜構成＞
以下、本発明の実施の形態に係るシールド構造体の構成を図面に基づいて説明する。
図１は、本発明に係るシールド構造体１の斜視図である。本実施例のシールド構造体１は、携帯電話に搭載された電気回路の電磁波ノイズを遮蔽するために回路基板に締結されて用いられるものである。
【００１３】
前記シールド構造体１は、Ｍｇ（マグネシウム）合金から成り、一方が開口した底の浅い箱状であり、天板１０と天板１０の外縁部に形成された側壁１１と、天板１０と側壁１１で囲まれた内部をさらに仕切る仕切壁１２Ａ及び仕切壁１２Ｂとから構成されている。  Ｍｇ合金はアルミニウムや一般的な樹脂と比較して強度が高く、耐凹み性が強く、電磁波シールド性も高いといった特徴がある。
【００１４】
側壁１１及び仕切壁１２Ａ、１２Ｂの開口側端面には回路基板と締結するためのねじ孔１３Ａ〜１３Ｇが設けられている。
同じく、側壁１１及び仕切壁１２Ａ、１２Ｂの開口側端面であって前記ねじ孔とねじ孔の間には凸部１４Ａ〜１４Ｈが形成されている。
凸部１４Ａ〜１４Ｈの高さは、その両側のねじ孔にねじを挿入して回路基板に締結した場合に、凸部も回路基板に当接するのに必要な高さとしている。従って、回路基板の表面の凹凸深さ及びシールド構造体の回路基板に着接する面の凹凸深さの程度によって、凸部１４A〜１４Hの高さは異なってくるが、本実施例のように、携帯電話機の回路基板に適用する場合は、５０ｕｍ程度に設定している。
凸部１４A〜１４Hの形状としては、この実施例では図１に見られるように円弧状としている。
また、凸部１４A〜１４Hを設ける位置は、図１に見られるようにねじ孔１３A〜１３Gとねじ孔１３A〜１３Gの間のほぼ中間位置としている。中間位置とすると、隣り合う２つのねじ孔１３A〜１３Gまでの距離を等しく且つ最小にすることができて、シールド効果を高めやすいのに加えて、ねじ止め時のトルクのばらつきによりシールド構造体や回路基板の歪みの影響を少なくすることができるからである。
なお、ねじ孔と凸部との距離は、回路の使用周波数帯域で干渉する電磁ノイズの１／４波長以下の長さとなるように設定すると、高いシールド効果が得られる。
例えば２．４ＧＨｚ帯の電波を通信に使用する携帯電話の場合には、２．４ＧＨｚの電波の波長の１／４の長さは約３ｃｍ（センチメートル）であるので、側壁や仕切壁に沿って隣接するねじ止めの締結部間の距離が３ｃｍ以上の場合に、当該締結部間に着接面を突出させた凸部形状に形成し、どの隣接する締結部間の距離並びに締結部と凸部までの距離が３ｃｍ以上になる箇所がないように形成することにより回路基板上の電子部品から発生するこれら周波数帯域の電磁ノイズを効果的に遮蔽することができる。
もしも、隣り合うねじ孔の間隔が電磁ノイズの１／２波長よりも長い場合は、そのねじ孔とねじ孔の間に２個以上の凸部を設けることによって対処すればよい。
＜締結方法＞
図２（ａ）は、図１に示すシールド構造体１を回路基板２に被せて締結する場合を説明する斜視図である。
【００１５】
回路基板２は、携帯電話に実装される基板であり、その上には携帯電話の機能を実現するための部品や回路、メモリ等が実装される。なお、本実施の形態においては、部品や回路、メモリ等を総称して電子部品と呼ぶ。
例えば図２（ａ）にて示す電子部品２３Ａ〜２３Ｈが、携帯端末の機能を実現するための部品や回路、メモリ等に相当する。
【００１６】
電子部品２３Ａ〜２３Ｈは、自身の動作によりノイズを発するものであり、他に影響を及ぼすものである。また、電子部品２２は、アンテナであり、外部から到来する電波を受信するため、他の電子部品から発するノイズによって動作に影響が出るものである。
図２（ｂ）はシールド構造体１の底面図であり、図２（ｃ）は回路基板２の平面図である。回路基板２上には、シールド構造体の側壁１１及び仕切壁１２Ａ、１２Ｂが回路基板２に着接する端面に沿ってＧＮＤ（グランド）パターン２４が形成されており、さらにシールド構造体１の側壁１１及び仕切壁１２Ａ、１２Ｂに形成されたねじ孔１３Ａ〜１３Ｇに対応する位置にねじ孔２１Ａ〜２１Ｇが形成されている。
【００１７】
シールド構造体１は、側壁と仕切壁の端面が、このＧＮＤパターンに合うように回路基板２に被せられ、導電性のあるねじを用いて締付けて、回路基板２に締結される。
このように締結すると、ねじ孔とねじ孔の間は、丁度、図３に示すように、シールド構造体側の凸部１４が回路基板側のGND電極と当接した状態で、ねじの締付けによりシールド構造体の端面と回路基板側GND電極とのギャップが狭小化する。そして、ねじ４５A、４５Bと凸部１４との間は１／４波長以下の距離に保たれているので、電磁波漏れが効果的に防止される。
＜２．変形例＞
以上、１つの実施の形態を説明したが、本発明は上記の実施の形態に限られない。
例えば、以下のような変形例が考えられる。
【００１８】
（１）上記実施の形態において凸部の突出量を５０ｕｍとしたが、これに限定されない。凸部の突出量は製造等の誤差により生ずる着接面の粗さの凸凹の大きさよりも突出しておればよい。
この製造等の誤差により生ずる面粗さの凸凹の大きさは、想定している基準面に対して通常プラスマイナス５０ｕｍの範囲に収まる。このような場合にシールド構造体の一部を突出させる突出量を５０ｕｍ〜１００ｕｍ（面粗さの凸凹量の２倍程度）の範囲の突出量にすれば、着接面の一部を突出させた凸部で確実に当接させることができ、シールド効果を発揮させることができる。
【００１９】
（２）実施例において、凸部の形状は弧状としたが、これに限らず、図４（ａ）に示すように三角形状としてもよく、或いは（ｂ）に示すようにかまぼこ型としてもよく、さらには（ｃ）のように陸屋根型状、或いは（ｄ）のようにドーム形状としてもよい。これらはシールド構造体が設置される回路基板に応じて適宜選択できるものである。
（３）図５にねじ孔とねじ孔の間に凸部を２か所以上設ける例を示す。
図５に示すように、ねじ止めの締結部間には、２箇所の凸部９５Ａ、９５Ｂが形成されている。凸部９５Ａ、９５Ｂの最大の突出量は同じ突出量に形成するのが望ましい。図３で示した場合と同様に、ねじにより締付け締結すると、凸部９５Ａ、９５Ｂで回路基板２と当接する。このとき、凸部９５Ａ、９５Ｂは、各々側壁又は仕切壁に沿って隣接するねじ止め位置又は他の凸部から距離が電磁ノイズの波長の１／４以下の長さになる位置に形成されることが望ましい。さらに、ねじ止め締結部間に等間隔に形成することが望ましい。
【００２０】
このように凸部９５Ａ、９５Ｂを形成することにより、効率よく凸部を形成することができる。また、ねじで締付けたときにどちらか一方の凸部での回路基板との当接が不十分になることを防止することができ、ねじ止め締結部間に１つの凸部を形成する場合と同様の効果を発揮させることができる。
（４）シールド構造体として、１又は複数の電子部品を囲繞する形状は、上記実施の形態にて示す形状に限定されない。１又は複数の電子部品を囲繞する形状は、平面多角形状であればよい。
【００２１】
（５）上記実施の形態において、Ｍｇ合金を用いたシールド構造体の例を示したが、これに限定されない。例えば、アルミ蒸着樹脂を用いたシールド構造体でもよく、電磁ノイズの遮蔽効果があり、回路基板に締結したときに回路基板のＧＮＤパターンと同電位になるよう導電性があればよい。
（６）上記実施の形態においてシールド構造体と回路基板の締結はねじ止めによって締結しているが、これに限定されない。例えば、リベットなどの係止ピンによりシールド構造と回路基板とを締結してもよい。
【００２２】
（７）上記実施の形態及び変形例を組み合わせるとしてもよい。
（８）上記実施の形態にて示すシールド構造体１が実装される電子機器としては、携帯電話に限定されるものではない。無線通信を行う情報機器や携帯端末であってもよい。
＜３．まとめ＞
（１）本発明の一実施形態に係るシールド構造体は、回路基板に装着され、電磁ノイズを遮蔽するシールド構造体であって、前記回路基板の主面に対し対向する天板部と、その外周部から前記回路基板の主面に対して垂下される側壁とを有し、前記側壁の回路基板との着接面に、回路基板に締結する複数の締結部と、前記着接面の一部を突出させた１以上の凸部とが、回路基板に当接するように形成されていることを特徴とする。
【００２３】
この構成によると、シールド構造体の回路基板に着接する着接面の一部を突出させ凸部とすることで、回路基板に締結したときにこの凸部で確実に回路基板に当接する。
（２）ここで、前記締結部又は前記凸部と、前記側壁に沿って隣接する締結部又は凸部いずれかとの間隔が、回路で使用する周波数帯域の電磁ノイズの波長よりも短く設定してもよい。
【００２４】
この構成によると、回路基板と当接する締結部及び凸部に隣接する締結部又は凸部までの間隔が全て回路で使用する周波数帯域の電磁ノイズの波長よりも短く設定されているので、電磁波漏れが効果的に防止できる。
（３）ここで、隣接する締結部又は凸部の間隔は、回路で使用する周波数帯域の電磁ノイズの波長の１／４以下の長さになるようにしてもよい。
【００２５】
この構成によると、回路基板と当接する締結部及び凸部に隣接する締結部又は凸部までの間隔が全て回路で使用する周波数帯域の電磁ノイズの波長の１／４以下に保たれているので、電磁波漏れが効果的に防止できる。
（４）ここで、前記凸部の形状は、最も突出した位置から前記側壁の着接面の長手方向に沿って離れるに従って突出量が減少する形状に形成するようにしてもよい。
【００２６】
この構成によると、前記凸部の突出量は、着接面に製造等による粗さの凹凸よりも、大きく突出させているので、当該凸部で確実に当接させることができる。
（５）ここで、前記締結部は、螺着により締結するようにしてもよい。
この構成によると、締結部においてねじ止めするので締結部で回路基板と確実に当接し、
ねじの締付けにより、シールド構造体の着接面と回路基板側の端面とのギャップが狭小化するので締結部間の凸部においても確実に当接させることができるので電磁波漏れが効果的に防止される。
（６）ここで、前記シールド構造体はＭｇ合金を用いて構成してもよい。
【００２７】
Ｍｇ合金は、アルミニウムや一般的な樹脂と比較して強度が高く、耐凹み性も強い。その上、安定した電磁波シールド性を備えているといった特徴がある。
この構成によると、上記特徴を持つＭｇ合金を用いてシールド構造体を形成するので、丈夫でシールド効果の高いシールド構造体とすることができる。
（７）ここで、前記シールド構造体の前記天板と前記側壁に覆われた内部に、隔離する仕切壁を形成して、当該仕切壁に、前記側壁と同様の締結部と凸部を形成するようにしてもよい。
【００２８】
この構成によると、回路基板上の電気部品をさらに細かい領域に分けて囲繞することができるので、それぞれの電気部品同士の電磁ノイズの影響も防止できる。
（８）ここで、シールド構造体の締結部と締結部の間に凸部が１箇所だけ形成されている場合には、締結部と締結部のほぼ中間に凸部を形成するようにしてもよい。
この構成によると、隣接する締結部間のほぼ中間位置にあるので、締結部での圧着力のばらつきによるシールド構造体や回路基板の歪みを抑えることができる。
（９）また、上述のシールド構造体は、一実施形態として、無線通信を行う携帯端末において、無線通信で使用する通信周波数帯域の波長の電磁ノイズをシールドするために、携帯端末の回路基板に装着される。
【００２９】
この構成によると、シールド構造体を備える携帯端末では、通信性能の低下が抑えられる。
【産業上の利用可能性】
【００３０】
本発明に係るシールド構造体は、電気回路のノイズ輻射を防止するものであり、電気回路のシールド構造体及び当該シールド構造体を備える携帯端末に対して有用である。
【符号の説明】
【００３１】
１  シールド構造体
１０  天板
１１  側壁
１２Ａ、１２Ｂ  仕切壁
１３Ａ〜１３Ｇ  ねじ孔
１４、１４Ａ〜１４Ｈ  凸部
２  回路基板
２４  ＧＮＤ（グランド）パターン
２１Ａ〜２１Ｇ  ねじ孔
２２  アンテナ
２３Ａ〜２３Ｈ  電子部品
【図１】
2013038243.tif 000003
【図２】
2013038243.tif 000004
【図３】
2013038243.tif 000005
【図４】
2013038243.tif 000006
【図５】
2013038243.tif 000007
【図６】
2013038243.tif 000008